(57)【要約】【課題】  ポンプ本体の連結方向への長寸化を抑制し、各種液圧機械への搭載に制約の少ない多連歯車ポンプを提供する。【解決手段】  第１歯車ポンプ１１における駆動軸１４の入力側１４ａと駆動モータとを連結し、駆動軸１４の出力側１４ｂと第２歯車ポンプ１２における駆動軸１５の入力側１５ａとを継手１７で連結すると共に、第１歯車ポンプ１１における従動軸１９の出力軸１９ｂと第３歯車ポンプ１３における駆動軸１６の入力軸１６ａとを継手１８で連結することにより、駆動モータから駆動トルクが、第１歯車ポンプ１１における駆動軸１４の出力軸１４ｂから第２歯車ポンプ１２における駆動軸１５の入力軸１５ａへ伝わると共に、第１歯車ポンプ１１における従動軸１９の出力側１９ｂから第３歯車ポンプ１３における駆動軸１６の入力側１９ａへ伝わる。【選択図】        図１
2009079572.tif 000002
【特許請求の範囲】
【請求項１】
第１次の歯車ポンプにおける駆動軸のトルク入力側から駆動トルクが入力され、該駆動軸のトルク出力側と第２次の一方の歯車ポンプにおける駆動軸のトルク入力側とを連結すると共に、第１次歯車ポンプにおける従動軸のトルク出力側と第２次の他方の歯車ポンプにおける駆動軸のトルク入力側とを連結したことを特徴とする多連歯車ポンプ。
【発明の詳細な説明】
【技術分野】
【０００１】
本発明は、建設機械、工作機械、農業機械などの各種液圧機械に利用される多連歯車ポンプ機構に関するものである。
【背景技術】
【０００２】
従来の多連歯車ポンプは、例えば、図４の３連歯車ポンプに示したように、第１段歯車ポンプ１０１の駆動軸１０４ｂと第２段歯車ポンプ１０２の駆動軸１０５ａとが継手１０７を介して連結されるとともに、第２段歯車ポンプ１０２の駆動軸１０５ｂと第３段歯車ポンプ１０３の駆動軸１０６とが継手１０８を介して連結されている。すなわち、第１段から第３段までの歯車ポンプ１０１、１０２、１０３が駆動軸方向に、直列に連結されている。
【０００３】
そして、第１段歯車ポンプ１０１の駆動軸１０４ａに連結された駆動モータ（図示省略）から駆動トルクが、これら継手１０７、１０８を介して、第２段歯車ポンプ１０２の駆動軸１０５ａ、１０５ｂ、第３段歯車ポンプ１０３の駆動軸１０６へと順次直列に伝達される。
【特許文献１】特開平４−３４７３８３号公報
【発明の開示】
【発明が解決しようとする課題】
【０００４】
しかしながら、このような多連歯車ポンプでは、駆動軸どうしを直列に連結した場合、連結方向に駆動歯車、駆動軸、さらに連結用の継手の長さを収めるスペースが必要で、全長が長くなってしまった。
【０００５】
したがって、ポンプ本体としての寸法が長寸化し、各種液圧機械への搭載に制約を生じていた。
【０００６】
本発明は、ポンプ本体の連結方向への長寸化を抑制し、各種液圧機械への搭載に制約の少ない多連歯車ポンプを提供することを目的とする。
【課題を解決するための手段】
【０００７】
本発明は、第１次の歯車ポンプにおける駆動軸のトルク入力側から駆動トルクが入力され、該駆動軸のトルク出力側と第２次の一方の歯車ポンプにおける駆動軸のトルク入力側とを連結すると共に、第１次歯車ポンプにおける従動軸のトルク出力側と第２次の他方の歯車ポンプにおける駆動軸のトルク入力側とを連結したことを特徴とする。
【０００８】
特に、本発明に関連した３連歯車ポンプは、第１歯車ポンプにおける駆動軸のトルク入力側と駆動モータとを連結し、該駆動軸の出力端と第２歯車ポンプにおける駆動軸の入力端とを連結すると共に、第１歯車ポンプにおける従動軸のトルク出力側と第３歯車ポンプにおける駆動軸のトルク入力側とを連結したことを特徴とする。
【発明の効果】
【０００９】
本発明によれば、第１次の歯車ポンプに連結される第２次における２組の歯車ポンプを並列に連結したことにより、ポンプ本体の連結方向への少なくとも１組の歯車ポンプ分長さの長寸化を抑制することができ、各種液圧機械への搭載に制約の少ない多連歯車ポンプを提供することができる。
【発明を実施するための最良の形態】
【００１０】
以下に本発明の実施例について説明する。本実施例の３連歯車ポンプは、図１に示したとおり、１１は第１歯車ポンプ（第１次の歯車ポンプ）、１２は第２歯車ポンプ（第２次の一方の歯車ポンプ）、１３は第３歯車ポンプ（第２次の他方の歯車ポンプ）である。
【００１１】
第１歯車ポンプ１１の駆動軸１４のトルク入力側１４ａは駆動モータ（図示省略）に連結されるとともに、駆動軸１４のトルク出力側１４ｂは継手１７を介して第２歯車ポンプ１２の駆動軸１５のトルク入力側１５ａに連結される。駆動軸１５には駆動歯車２３が設けられるとともに、駆動歯車２３には同期回転する従動歯車２４が噛み合わされる。
【００１２】
また、第１歯車ポンプ１１の駆動歯車２１よって同期回転する従動歯車２２から駆動トルクが与えられる従動軸１９のトルク出力側１９ｂは、継手１８を介して第３歯車ポンプ１３の駆動軸１６のトルク入力側１６ａに連結される。駆動軸１６には駆動歯車２５が設けられるとともに、駆動歯車２５には同期回転する従動歯車２６が噛み合わされる。
【００１３】
そして、これら第２歯車ポンプ１２、第３歯車ポンプ１３を構成する部品は、ケーシング２７に収容される。
【００１４】
次に、本実施例の３連歯車ポンプの動作を図１、２に用いて説明すると、第１段歯車ポンプ１１の駆動軸１４のトルク入力側１４ａに連結された駆動モータ（図示省略）から駆動トルクが伝達され、駆動歯車２１と従動歯車２２とが同期回転し、ポンプとして動作する。
【００１５】
そして、駆動軸１４のトルク出力側１４ｂから継手１７を介して駆動トルクが、第２歯車ポンプ１２の駆動軸１５のトルク入力側１５ａに伝達され、駆動歯車２３と従動歯車２４が同期回転し、第２歯車ポンプ１２はポンプとして動作する。
【００１６】
一方、従動軸１９のトルク出力側１９ａから継手１８を介して駆動トルクが、第３歯車ポンプ１３の駆動軸１６のトルク入力側１６ａに伝達され、駆動歯車２５と従動歯車２６が同期回転し、第３歯車ポンプ１３として動作する。
【００１７】
なお、本実施例では、図２に示したように、第２歯車ポンプ１２の駆動歯車２３及び従動歯車２４と、第３歯車ポンプ１３の駆動歯車２５及び従動歯車２６とを全て直列となるように、第２歯車ポンプ１２と第３歯車ポンプとを配置したが、変形実施例として、図３のように、第２歯車ポンプと第３歯車ポンプとが、同一方向に、駆動歯車２３及び従動歯車２４、駆動歯車２５及び従動歯車２６となるように平行に配置してもよい。この場合、吸込口２８を共通とすることも可能となる。
【００１８】
また、本実施例では、３連歯車ポンプへの適用を説明したが、請求項１における第２次歯車ポンプに相当した歯車ポンプ１２、１３における駆動軸１５、１６、従動軸２９、３０をそれぞれケーシング２７の外部に突出して延長し、これら駆動軸１５、１６、従動軸２９、３０の駆動トルクを利用した複数の第３次の歯車ポンプを連結したもの、さらに、同様に第４次以後の複数の歯車ポンプを連結し構成した多連歯車ポンプも本発明に含まれる。
【図面の簡単な説明】
【００１９】
【図１】本実施例の３連歯車ポンプの概略構成を示した図
【図２】本実施例の３連歯車ポンプの動作を示した図
【図３】本実施例の３連歯車ポンプの変形実施例における動作を示した図
【図４】従来の３連歯車ポンプの概略構成を示した図
【符号の説明】
【００２０】
１１  第１歯車ポンプ
１２  第２歯車ポンプ
１３  第３歯車ポンプ
１４ａ、１４ｂ  第１歯車ポンプの駆動軸
１５  第２歯車ポンプの駆動軸
１６  第３歯車ポンプの駆動軸
１７  継手
１８  継手
１９  第１歯車ポンプの従動軸
【図１】
2009079572.tif 000003
【図２】
2009079572.tif 000004
【図３】
2009079572.tif 000005
【図４】
2009079572.tif 000006